(57)【要約】【課題】受信性能の劣化を抑えつつ、消費電力の低減を実現できる無線受信機の消費電力制御方法を提供すること。【解決手段】高周波部にてダウンコンバートされた受信信号をディジタル化してベースバンド部に取り込むアナログ・ディジタル変換部がバイアス電流を設定可能に構成してある無線受信機において、前記アナログ・ディジタル変換部が出力するディジタル信号に基づき通信信号の受信状態から待ち受け状態へ変化したか、待ち受け状態から受信状態へ変化したかを判断する工程と、前記受信状態から待ち受け状態へ変化した場合には前記バイアス電流を初期値よりも小さい値に設定し、前記待ち受け状態から受信状態へ変化した場合には前記バイアス電流を初期値よりも大きい値に設定する工程とを含む。【選択図】        図１
2010226236.tif 000002
【特許請求の範囲】
【請求項１】
高周波部にてダウンコンバートされた受信信号をディジタル化してベースバンド部に取り込むアナログ・ディジタル変換部がバイアス電流を設定可能に構成してある無線受信機において、
前記アナログ・ディジタル変換部が出力するディジタル信号に基づき通信信号の受信状態から待ち受け状態へ変化する第１の変化か、待ち受け状態から受信状態へ変化する第２の変化の何れであるかを判断する工程と、
この判断結果に応じて、前記第１の変化の場合には前記バイアス電流を前記第２の変化の場合よりも小さい値に設定し、前記第２の変化の場合には前記バイアス電流を前記第１の変化の場合よりも大きい値に設定する工程と
を含むことを無線受信機の消費電力制御方法。
【請求項２】
高周波部にてダウンコンバートされた受信信号をディジタル化してベースバンド部に取り込むアナログ・ディジタル変換部がバイアス電流を設定可能に構成してある無線受信機において、
前記アナログ・ディジタル変換部が出力するディジタル信号の復調結果から検出したヘッダ部に示される変調方式に対し前記アナログ・ディジタル変換部に要求されるＳＮＲを認識する工程と、
前記認識された前記アナログ・ディジタル変換部に要求されるＳＮＲに応じて前記バイアス電流を増減設定する工程と
を含むことを無線受信機の消費電力制御方法。
【請求項３】
複数の送信アンテナから無線送信された信号を受信する複数の受信アンテナを有し、高周波部にてダウンコンバートされた前記複数の受信アンテナからの受信信号をそれぞれディジタル化してベースバンド部に取り込む複数のアナログ・ディジタル変換部が、それぞれバイアス電流を設定可能に構成してある無線受信機において、
前記複数のアナログ・ディジタル変換部がそれぞれ出力するディジタル信号の復調結果から検出したヘッダ部に示される送信に用いたアンテナ数を認識する工程と、
前記認識された送信に用いたアンテナ数に応じて前記バイアス電流を増減設定する工程と
を含むことを無線受信機の消費電力制御方法。
【請求項４】
通信信号がデータ部内のデータ区間毎にガードインターバル区間を有する形式である場合に、前記アナログ・ディジタル変換部が出力するディジタル信号の復調結果から検出した前記ガードインターバル区間内において、前記設定したバイアス電流の供給切替を行う工程を含むことを特徴とする請求項１〜３のいずれか一つに記載の無線受信機の消費電力制御方法。
【請求項５】
通信信号がヘッダ部と後続するデータ部との間に同期確立の補助情報を挿入する形式である場合に、前記アナログ・ディジタル変換部が出力するディジタル信号の復調結果から検出した前記補助情報における所定補助情報の区間内において、前記設定したバイアス電流の供給切替を行う工程を含むことを特徴とする請求項１〜３のいずれか一つに記載の無線受信機の消費電力制御方法。
【発明の詳細な説明】
【技術分野】
【０００１】
本発明は、無線受信機の消費電力制御方法に関するものである。
【背景技術】
【０００２】
携帯電話機やノートＰＣに取り付ける無線機など使用電力に制限のある無線機では、消費電力の低減を図るために、各種の方策が講じられている。無線受信機のベースバンド部では、ロジック回路は、微細化・低電圧化の恩恵を受けて省電力化が図られているが、高周波部とのインタフェースで用いられるアナログ回路であるＡＤＣ（アナログ・ディジタル変換部）では、上記のような恩恵を受けることができず、省電力化の対象として残されている。
【０００３】
ＡＤＣの省電力化は、バイアス電流を制御することで可能である。そこで、本発明は、無線受信機の消費電力を更に低減する方策として、ＡＤＣのバイアス電流を制御することを考えた。
【０００４】
この場合、パケット通信方式では、パケット毎に変調方式が異なる場合がある。また、１フレームで複数のデータを伝送する通信方式でも、データ毎に変調方式が異なる場合がある。この場合、無線受信機でのＡＤＣに要求される性能は、変調方式によって異なっている。例えば、６４ＱＡＭ（Quadrature Amplitude Modulation）で変調された信号を受信するときと、ＢＰＳＫ（Binary Phase Shift Keying）で変調された信号を受信するときとで、必要とされるＡＤＣのＳＮＲ（Signal to Noise Ratio）は異なる。
【０００５】
しかし、ＡＤＣは、バイアス電流を制御すると、それに伴い、ＳＮＲやダイナミックレンジなどＡＤＣの性能が変化するので、無線受信機に適用すると、受信性能を劣化させることが起こるという問題があった。
【０００６】
なお、ＡＤＣのバイアス電流を制御する技術は、例えば、特許文献１に示されている。
【先行技術文献】
【特許文献】
【０００７】
【特許文献１】特開２００８−７２７４２号公報
【発明の概要】
【発明が解決しようとする課題】
【０００８】
本発明は、上記に鑑みてなされたものであり、受信性能の劣化を抑えつつ、消費電力の低減を実現できる無線受信機の消費電力制御方法を提供することを目的とする。
【課題を解決するための手段】
【０００９】
本願発明の一態様によれば、高周波部にてダウンコンバートされた受信信号をディジタル化してベースバンド部に取り込むアナログ・ディジタル変換部がバイアス電流を設定可能に構成してある無線受信機において、前記アナログ・ディジタル変換部が出力するディジタル信号に基づき、通信信号の受信状態から待ち受け状態へ変化する第１の変化か、待ち受け状態から受信状態へ変化する第２の変化の何れであるかを判断する工程と、この判断結果に応じて、前記第１の変化の場合には、前記バイアス電流を前記第２の変化の場合よりも小さい値に設定し、前記第２の変化の場合には前記バイアス電流を前記第１の変化の場合よりも大きい値に設定する工程とを含む無線受信機の消費電力制御方法が提供される。
【発明の効果】
【００１０】
本発明によれば、受信性能の劣化を抑えつつ、消費電力の低減を実現できる無線受信機の消費電力制御方法を提供できるという効果を奏する。
【図面の簡単な説明】
【００１１】
【図１】図１は、本発明の第１の実施の形態にかかる無線受信機の消費電力制御方法を実施する無線受信機の要部構成例を示すブロック図である。
【図２】図２は、図１に示す無線受信機で実施する消費電力制御方法を説明する受信波形の模式図である。
【図３】図３は、本発明の第２の実施の形態にかかる無線受信機の消費電力制御方法を実施する無線受信機の要部構成例を示すブロック図である。
【図４】図４は、図３に示す無線受信機で実施する消費電力制御方法を適用する伝送フォーマットの一例を示す図である。
【図５】図５は、本発明の第３の実施の形態にかかる無線受信機の消費電力制御方法を実施する無線受信機の要部構成例を示すブロック図である。
【図６】図６は、本発明の第４の実施の形態にかかる無線受信機の消費電力制御方法を実施する無線受信機の要部構成例を示すブロック図である。
【図７】図７は、図６に示す無線受信機で実施する消費電力制御方法を適用する伝送フォーマットの一例を示す図である。
【図８】図８は、本発明の第５の実施の形態にかかる無線受信機の消費電力制御方法を実施する無線受信機の要部構成例を示すブロック図である。
【図９】図９は、図８に示す無線受信機で実施する消費電力制御方法を適用する伝送フォーマットの一例を示す図である。
【発明を実施するための形態】
【００１２】
以下に添付図面を参照して、本発明の実施の形態による無線受信機の消費電力制御方法を詳細に説明する。なお、これらの実施の形態により本発明が限定されるものではない。
【００１３】
（第１の実施の形態）
図１は、本発明の第１の実施の形態にかかる無線受信機の消費電力制御方法を実施する無線受信機の要部構成例を示すブロック図である。本第１の実施の形態では、パケットを間欠的に送受信する場合に好適な消費電力制御方法について説明する。
【００１４】
図１に示すように、無線受信機１０ａは、受信アンテナ１１が接続される高周波部１２とベースバンド部１３ａとで構成される。ベースバンド部１３ａは、本第１の実施の形態に関わる要素として、ＡＤＣ部１４と、復調部１５と、信号検出部１６とを備えている。
【００１５】
高周波部１２は、高周波集積回路（ＲＦ−ＩＣ）を備え、受信アンテナ１１にて受信された無線信号を増幅し、ベースバンド部１３ａで処理できる周波数にダウンコンバートしてＡＤＣ部１４に出力する。
【００１６】
ＡＤＣ部１４は、ＡＤＣ本体部１７とバイアス電流供給部１８とを備えている。ＡＤＣ本体部１７は、例えばパイプライン型ＡＤＣなど実際に変換動作を行うコア回路であり、高周波部１２からのベースバンド信号をディジタル化して復調部１５と信号検出部１６とに出力する。バイアス電流供給部１８は、ＡＤＣ本体部１７のバイアス電流を制御する回路であり、基本的な構成は、特許文献１に示されている通りである。本第１の実施の形態では、バイアス電流供給部１８は、復調部１５での復調信号と信号検出部１６での検出信号とに基づきＡＤＣ本体部１７に供給するバイアス電流を制御するようになっている。
【００１７】
信号検出部１６は、ＡＤＣ本体部１７が出力するディジタル信号の状態から受信状態である期間と待ち受け状態である期間とを監視し、受信状態から待ち受け状態へ変化したタイミングと、待ち受け状態から受信状態へ変化したタイミングとを検出すると、検出信号を復調部１５とバイアス電流供給部１８とに出力する。
【００１８】
具体的には、信号検出部１６は、ＡＤＣ本体部１７が出力するディジタル信号が示す値の所定時間内における平均値を逐一算出し、算出した平均値と閾値との大小関係の変化を監視する。算出した平均値が閾値以下の状態を維持している場合は、待ち受け状態であると判断する。逆に、算出した平均値が閾値以上の状態を維持している場合は、受信状態であると判断する。そして、算出した平均値が閾値以上から閾値以下へ変化すると、待ち受け状態へ変化したと判断し、逆の場合は、受信状態へ変化したと判断する。
【００１９】
復調部１５は、信号検出部１６から受信状態への変化検出信号が入力されると、復調動作を開始し、待ち受け状態への変化検出信号が入力されるまでの期間内、復調処理を継続する。
【００２０】
バイアス電流供給部１８は、バイアス電流値として、例えば、待ち受け時に適用する小さい値と、受信状態時に適用する待ち受け時よりも大きい値とを、信号検出部１６からの検出信号に応じて選択するようになっている。なお、受信状態時に適用するバイアス電流値は、２以上用意し、受信レベルを考慮してその中から選択するようにしてもよい。
【００２１】
すなわち、バイアス電流供給部１８は、信号検出部１６から受信状態への変化検出信号が入力されると、復調部１５から復調信号が入力されるのを待機し、復調部１５から復調信号が入力されると、大きなバイアス電流を選択してＡＤＣ本体部１７に供給することを開始し、復調部１５から復調信号の入力が途絶えるまで継続する。そして、信号検出部１６から待ち受け状態への変化検出信号が入力されると、信号検出部１６から受信状態への変化検出信号が入力されるまでの期間内、小さなバイアス電流を選択してＡＤＣ本体部１７に供給する。
【００２２】
次に、図２は、図１に示す無線受信機で実施する消費電力制御方法を説明する受信波形の模式図である。図２において、区間２１，２３は、ＡＤＣ本体部１７が出力するディジタル信号が示す値の平均値が閾値以下である期間であり、有意な信号が存在しない待ち受け時の期間である。区間２２は、ＡＤＣ本体部１７が出力するディジタル信号が示す値の平均値が閾値以上である期間であり、有意な信号が存在する受信状態の期間である。
【００２３】
信号検出部１６が区間２１から区間２２への変化を検出すると、バイアス電流供給部１８は、バイアス電流を大きい値に設定する。復調部１５は、復調動作を開始し、区間２２の終端まで継続する。その後、信号検出部１６が区間２２から区間２３への変化を検出すると、バイアス電流供給部１８は、バイアス電流を小さい値に設定する。復調部１５は、復調動作を終了して停止状態になる。
【００２４】
一般に、待ち受け時に必要とされるＡＤＣの性能（ＳＮＲやダイナミックレンジなど）は比較的低いので、上記のように、バイアス電流を小さい値に設定しても受信性能に及ぼす影響は小さいと考えられる。
【００２５】
このように、本第１の実施の形態によれば、ＡＤＣのバイアス電流を、受信状態では大きくし、待ち受け時で小さくする制御を行うようにしたので、受信性能を劣化させることなく、待ち受け時の消費電力を低減することができる。
【００２６】
（第２の実施の形態）
図３は、本発明の第２の実施の形態にかかる無線受信機の消費電力制御方法を実施する無線受信機の要部構成例を示すブロック図である。図４は、図３に示す無線受信機で実施する消費電力制御方法を適用する伝送フォーマットの一例を示す図である。
【００２７】
図３では、図１（第１の実施の形態）に示した構成要素と同一ないしは同等である構成要素には同一の符号が付されている。ここでは、本第２の実施の形態に関わる部分を中心に説明する。
【００２８】
図３に示すように、本第２の実施の形態にかかる無線受信機１０ｂのベースバンド部１３ｂでは、図１（第１の実施の形態）に示した構成において、信号検出部１６を削除して、ヘッダ情報検出部２５が設けられている。ヘッダ情報検出部２５には、復調部１５の復調信号が入力される。
【００２９】
図４に示すように、受信アンテナ１１に受信される信号は、同期確立区間である同期部２７と、変調方式を含む各種のヘッダ情報の挿入区間であるヘッダ部２８と、データの挿入区間であるデータ部２９とがこの順に配置された構成である。ヘッダ部２８内の各種ヘッダ情報の挿入位置およびデータ部２９内の各データの配置位置は、同期部２７での同期確立時点からの経過時間で規定されている。
【００３０】
本第２の実施の形態では、ヘッダ情報検出部２５は、同期部２７での同期確立時点からの経過時間を監視して、復調部１５の復調信号からヘッダ部２８内のヘッダ情報の一つである変調方式情報を検出し、検出した変調方式をバイアス電流供給部１８に通知する。
【００３１】
前記したように、ＡＤＣ本体部１７に要求されるＡＤＣの性能（ＳＮＲやダイナミックレンジなど）は、変調方式によって異なる。そこで、バイアス電流供給部１８は、バイアス電流を制御する基本的な構成は図１に示したのと同様であるが、本第２の実施の形態では、変調方式毎に、要求性能を実現できるバイアス電流値を定めた対応テーブルを備え、ヘッダ情報検出部２５から変調方式が通知されると、この関係テーブルを参照して、要求性能を実現できるバイアス電流値を選択して設定するようになっている。この対応テーブルでは、要求性能が高くなるに連れてバイアス電流値が大きくなっていくように定められている。
【００３２】
通信方式として、例えば、６４ＱＡＭとＢＰＳＫとを例に挙げて具体的に説明する。６４ＱＡＭで変調されたデータを誤り無く復調するための所要ＳＮＲは、ＢＰＳＫでのそれよりも大きく、必要とされるＡＤＣの性能も６４ＱＡＭを復調する場合の方が高い。したがって、受信信号のデータ部２９内のデータが、６４ＱＡＭとＢＰＳＫのいずれかで変調されている場合、バイアス電流供給部１８が備える上記した関係テーブルには、６４ＱＡＭについては、高いＳＮＲを実現できる大きなバイアス電流値が定められ、ＢＰＳＫについては、６４ＱＡＭの場合よりも低いＳＮＲを実現できるバイアス電流値、つまり６４ＱＡＭの場合よりも小さなバイアス電流値が定められている。
【００３３】
バイアス電流供給部１８は、この関係テーブルを参照し、ヘッダ情報検出部２５から通知された変調方式が６４ＱＡＭである場合は、ＡＤＣ本体部１７に供給するバイアス電流値を大きく設定する。また、ヘッダ情報検出部２５から通知された変調方式がＢＰＳＫである場合は、ＡＤＣ本体部１７に供給するバイアス電流値を小さく設定することになる。これによって、６４ＱＡＭ受信時の復調性能を劣化させることなく、ＢＰＳＫ受信時の消費電力を低減することができる。
【００３４】
このように、本第２の実施の形態によれば、ＡＤＣのバイアス電流を、変調方式に応じて増減制御できるようにしたので、要求性能の高い変調方式での復調性能を劣化させることなく、要求性能の高くない変調方式での受信時の消費電力を低減することができる。
【００３５】
（第３の実施の形態）
図５は、本発明の第３の実施の形態にかかる無線受信機の消費電力制御方法を実施する無線受信機の要部構成例を示すブロック図である。本第３の実施の形態では、送信側も受信側も共に複数のアンテナを用いるＭＩＭＯ（Multi Input Multi Output）通信システムにおける無線受信機の消費電力制御方法について説明する。但し、図５では、説明を容易にするため送信側と受信側とが共に２つのアンテナを有する場合が示されている。なお、伝送フォーマットは、前述した図４と同様であるので、適宜に援用する。
【００３６】
図５において、送信機３１は、２つの送信アンテナ３１ａ，３１ｂを備え、２つの送信アンテナ３１ａ，３１ｂを用いて送信する場合と、いずれか一方の１つの送信アンテナを用いて送信する場合とがある。送信機３１は、２つの送信アンテナ３１ａ，３１ｂを用いて送信する場合は、同一周波数、同一時刻に異なる信号を送信する。送信機３１は、送信に用いたアンテナ数をヘッダ情報としてヘッダ部２８に挿入し、受信側に通知するようになっている。
【００３７】
本第３の実施の形態にかかる無線受信機１０ｃは、２つの受信アンテナ１１ａ，１１ｂが接続される高周波部（ＲＥ−ＩＣ）１２と、ベースバンド部１３ｃとを備えている。ベースバンド部１３ｃは、２つの受信経路に設けられる２つのＡＤＣ部１４ａ，１４ｂと、２つのＡＤＣ部１４ａ，１４ｂに対して共通の復調部１５と、２つのＡＤＣ部１４ａ，１４ｂと復調部１５との間に設けられる２つのヘッダ情報検出部２５ａ，２５ｂとを備えている。２つのＡＤＣ部１４ａ，１４ｂは、ＡＤＣ本体部１７ａ，１７ｂと、バイアス電流供給部１８ａ，１８ｂとを備えている。
【００３８】
まず、ＭＩＭＯ方式の内容を簡単に説明する。高周波部１２は、図１、図３と同じ符号を付してあるが、本実施の形態では、２つの受信アンテナ１１ａ，１１ｂにて受信された無線信号を、個別に増幅し、個別にベースバンド部１３ｃで処理できる周波数にダウンコンバートし、受信アンテナ１１ａによる受信信号はＡＤＣ部１４ａ内のＡＤＣ本体部１７ａに出力し、受信アンテナ１１ｂによる受信信号はＡＤＣ部１４ｂ内のＡＤＣ本体部１７ｂに出力する。ＡＤＣ本体部１７ａ，１７ｂは、符号は違えてあるが、図１、図３に示したのと同じ構成である。
【００３９】
ベースバンド部１３ｃでの復調部１５は、図１、図３と同じ符号を付してあるが、本第３の実施の形態では、ＡＤＣ本体部１７ａ，１７ｂから出力される受信ディジタル信号を復調・合成処理して元の送信信号を復元する。以上がＭＩＭＯ方式の概略である。
【００４０】
一般に、ＭＩＭＯ方式では、送信アンテナ数が多いほど受信信号のダイナミックレンジが大きくなる上に、誤り無く復調するためのＳＮＲが大きくなり、ＡＤＣに必要とされる性能も高くなる。
【００４１】
そこで、本第３の実施の形態では、図３に示したのと同様の考えで、ヘッダ情報検出部２５ａ，２５ｂを設けてある。復調部１５の復調信号は、ＡＤＣ部１４ａ，１４ｂ内のバイアス電流供給部１８ａ，１８ｂと、ヘッダ情報検出部２５ａ，２５ｂとに入力される。
【００４２】
ヘッダ情報検出部２５ａ，２５ｂは、それぞれ、同期部２７での同期確立時点からの経過時間を監視して、復調部１５の復調信号からヘッダ部２８内のヘッダ情報の一つである送信アンテナ数情報を検出し、検出した送信アンテナ数をバイアス電流供給部１８ａ，１８ｂに通知する。
【００４３】
バイアス電流供給部１８ａ，１８ｂは、それぞれ、バイアス電流を制御する基本的な構成は図１、図３に示したのと同様であるが、本第３の実施の形態では、送信アンテナ数毎に、要求性能を実現できるバイアス電流値を定めた対応テーブルを備え、ヘッダ情報検出部２５ａ，２５ｂから送信アンテナ数が通知されると、この対応テーブルを参照し、要求性能を実現できるバイアス電流値を選択して設定するようになっている。この対応テーブルでは、送信アンテナ数が増えるに連れてバイアス電流値が大きくなっていくように定められている。
【００４４】
今の例では、送信に用いるアンテナ数は、２つであるので、この関係テーブルでは、送信アンテナ数が１である場合は、小さいバイアス電流値が設定され、送信アンテナ数が２である場合は、それよりも大きなバイアス電流値が設定されている。斯くして、バイアス電流供給部１８ａ，１８ｂは、それぞれ、通知された送信アンテナ数が１である場合はＡＤＣ本体部１７ａ，１７ｂに供給するバイアス電流値を小さく設定する。また、通知された送信アンテナ数が２である場合はＡＤＣ本体部１７ａ，１７ｂに供給するバイアス電流値を大きく設定することになる。これによって、送信アンテナ数が２である場合の復調結果を劣化させることなく、送信アンテナ数が１である場合の消費電力を低減することができる。
【００４５】
なお、以上の説明から理解できるように、ヘッダ情報検出部２５ａ，２５ｂが検出するアンテナ数は同じであり、バイアス電流供給部１８ａ，１８ｂの制御内容も同じであるので、それらはＡＤＣ部１４ａ，１４ｂ毎に設ける必要は無く、共用することができる。
【００４６】
このように、本第３の実施の形態によれば、複数のアンテナを組み合わせて通信を行うＭＩＭＯ通信システムで使用される無線受信機において、ＡＤＣのバイアス電流を、送信アンテナ数に応じて増減制御できるようにしたので、送信アンテナ数が多い場合の復調結果を劣化させることなく、送信アンテナ数が少ない場合の消費電力を低減することができる。
【００４７】
ここで、ＡＤＣは、バイアス電流を切り替えた直後には過渡的に出力が不安定になることがあり、復調性能に影響を及ぼすことが考えられる。そこで、以下に示す２つの実施の形態では、ＡＤＣの過渡状態における不安定出力が復調性能に影響を与えないようにする方法について説明する。
【００４８】
（第４の実施の形態）
図６は、本発明の第４の実施の形態にかかる無線受信機の消費電力制御方法を実施する無線受信機の要部構成例を示すブロック図である。図７は、図６に示す無線受信機で実施する消費電力制御方法を適用する伝送フォーマットの一例を示す図である。
【００４９】
図６では、図３（第２の実施の形態）に示した構成要素と同一ないしは同等である構成要素には同一の符号が付されている。ここでは、本第４の実施の形態に関わる部分を中心に説明する。
【００５０】
図６に示すように、本第４の実施の形態にかかる無線受信機１０ｄのベースバンド部１３ｄでは、図３（第２の実施の形態）に示した構成において、ヘッダ情報検出部２５に代えて、ヘッダ情報・ＧＩ区間検出部３３が設けられている。
【００５１】
図７に示すように、受信アンテナ１１に受信される信号は、ＯＦＤＭ（Orthogonal Frequency Division Multiplexing）変調方式によるもので、データ部２９は、ガードインターバルＧＩ（Guard Interval）区間２９ａがデータＤＡＴＡ区間２９ｂに前置された形で繰り返す構成である。なお、データ部２９は、ガードインターバルＧＩ区間２９ａがデータＤＡＴＡ区間２９ｂに後置された形で繰り返す構成もある。ガードインターバルＧＩは、無線伝搬路における多重反射波の影響を緩和する目的で付加されており、無線受信機１０ｄにおける復調処理には寄与しない。したがって、ガードインターバルＧＩ区間２９ａにおいてバイアス電流値の切り替えを行ってＡＤＣ出力が不安定になってもデータＤＡＴＡ２９ｂ区間での復調結果に与える影響は比較少ないと考えられる。
【００５２】
そこで、本第４の実施の形態では、ヘッダ情報（変調方式）の他に、ガードインターバルＧＩ区間２９ａも検出するヘッダ情報・ＧＩ区間検出部３３を設けてある。ガードインターバルＧＩ区間２９ａの検出は、ヘッダ情報（変調方式）の検出と同様に、同期部２７での同期確立時からの経過時間の監視によって行う。
【００５３】
バイアス電流供給部１８は、ヘッダ情報・ＧＩ区間検出部３３から変調方式が通知されると、第２の実施の形態（図３）にて説明した方法で変調方式に応じたバイアス電流値を定めるが、この時点ではＡＤＣ本体部１７にバイアス電流を供給しない、バイアス電流供給部１８は、ヘッダ情報・ＧＩ区間検出部３３からガードインターバルＧＩ区間２９ａの検出通知が入力されたとき、ＧＩ区間２９ａ内において、上記のように定めたバイアス電流をＡＤＣ本体部１７に供給する。これによって、復調部１５がデータＤＡＴＡ区間２９ｂで行う復調処理に与える影響を少なくすることができる。
【００５４】
このように、本第４の実施の形態によれば、第２の実施の形態と同様の作用・効果が得られるのに加えて、バイアス電流切替直後の過渡状態におけるＡＤＣ出力が復調性能に及ぼす影響を低減できるとう効果が得られる。
【００５５】
（第５の実施の形態）
図８は、本発明の第５の実施の形態にかかる無線受信機の消費電力制御方法を実施する無線受信機の要部構成例を示すブロック図である。図９は、図８に示す無線受信機で実施する消費電力制御方法を適用する伝送フォーマットの一例を示す図である。
【００５６】
図８では、図３（第２の実施の形態）に示した構成要素と同一ないしは同等である構成要素には同一の符号が付されている。ここでは、本第５の実施の形態に関わる部分を中心に説明する。
【００５７】
図８に示すように、本第５の実施の形態にかかる無線受信機１０ｅのベースバンド部１３ｅでは、図３（第２の実施の形態）に示した構成において、ヘッダ情報検出部２５に代えて、ヘッダ情報・補助情報検出部３５が設けられている。
【００５８】
図９に示すように、受信アンテナ１１に受信される信号は、同期確立区間である同期部（＃１）２７ａと、変調方式を含む各種のヘッダ情報の挿入区間であるヘッダ部２８と、受信利得調整など同期確立を補助する各種情報の挿入区間である同期部（＃２）２７ｂと、データの挿入区間であるデータ部２９とがこの順に配置された構成である。
【００５９】
一般に、受信利得調整など同期確立を補助する各種情報による同期確立時に必要とされるＡＤＣの性能は、同期部（＃１）２７ａでの同期確立時やデータ部２９の復調時と比較して高くないので、同期部（＃２）２７ｂの区間においてバイアス電流値の切り替えを行ってＡＤＣ出力が不安定になってもデータ部２９の復調結果に与える影響は比較少ないと考えられる。
【００６０】
そこで、本第５の実施の形態では、ヘッダ情報（変調方式）の他に、同期部（＃２）２７ｂの区間内における同期確立補助情報（例えば、受信利得調整情報）も検出するヘッダ情報・補助情報検出部３５を設けてある。同期部（＃２）２７ｂの区間内における受信利得調整情報の挿入位置の検出は、ヘッダ情報（変調方式）の検出と同様に、同期部（＃１）２７ａでの同期確立時からの経過時間の監視によって行う。
【００６１】
バイアス電流供給部１８は、ヘッダ情報・補助情報検出部３５から変調方式が通知されると、第２の実施の形態（図３）にて説明した方法で変調方式に応じたバイアス電流値を定めるが、この時点ではＡＤＣ本体部１７にバイアス電流を供給しない。バイアス電流供給部１８は、ヘッダ情報・補助情報検出部３５から同期部（＃２）２７ｂの区間内に挿入されている同期確立補助情報、今の例で言えば、受信利得調整情報の検出通知が入力されたとき、該受信利得調整情報の挿入区間内において、上記にように定めたバイアス電流をＡＤＣ本体部１７に供給する。これによって、復調部１５がデータ部２９の区間で行う復調処理に与える影響を少なくすることができる。
【００６２】
このように、本第５の実施の形態によれば、第２の実施の形態と同様の作用・効果が得られるのに加えて、バイアス電流切替直後の過渡状態におけるＡＤＣ出力が復調性能に及ぼす影響を低減できるとう効果が得られる。
【００６３】
なお、第１の実施の形態においても、受信状態へ移行したきにバイアス電流値を切り替えるので、同様に、ＡＤＣの出力に不安定が生じ復調特性に影響を与える。第４の実施の形態や第５の実施の形態とで説明した内容は、第１の実施の形態においても同様に適用できるものである。
【符号の説明】
【００６４】
１０ａ，１０ｂ，１０ｃ，１０ｄ，１０ｅ  無線受信機、１１，１１ａ、１１ｂ  受信アンテナ、１２  高周波部（ＲＦ−ＩＣ）、１３ａ，１３ｂ，１３ｃ，１３ｄ，１３ｅ  ベースバンド部、１４  ＡＤＣ部、１５  復調部、１６  信号検出部、１７  ＡＤＣ本体部、１８  バイアス電流供給部、２５，２５ａ，２５ｂ  ヘッダ情報検出部、３１  送信機、３１ａ，３１ｂ  送信アンテナ、３３  ヘッダ情報・ＧＩ区間検出部、３５  ヘッダ情報・補助情報検出部。
【図１】
2010226236.tif 000003
【図２】
2010226236.tif 000004
【図３】
2010226236.tif 000005
【図４】
2010226236.tif 000006
【図５】
2010226236.tif 000007
【図６】
2010226236.tif 000008
【図７】
2010226236.tif 000009
【図８】
2010226236.tif 000010
【図９】
2010226236.tif 000011